(57)【要約】【課題】  写真撮影スタジオ等に用いられる撮像システムにおいて、被写体等の情報を得て、最適なコンテンツを再生することにより、簡単に良質な画像を得るシステムを実現する。【解決手段】  被写体等に取り付けられた情報記録手段に書き込まれた情報を非接触で読み取り、読み取った情報に基づいて、最適なコンテンツを再生し、再生シーンと関連する撮影トリガ情報に基づいて自動的に撮影することにより、被写体が自然に微笑んだ良質な画像を得る。【選択図】        図４
2006208537.tif 000002
【特許請求の範囲】
【請求項１】
被写体を撮影して画像データを取得する撮像手段を有する撮像システムにおいて、
映像の表示及び音声の再生のうち少なくとも一方を行う再生手段と、
前記再生手段で再生される映像情報及び音声情報のうち少なくとも一方を記憶するコンテンツ記憶手段と、
情報記録手段に書き込まれた被写体に関する情報を非接触で読み取り可能な非接触読み取り手段と、
前記非接触読み取り手段で読み取られた情報に基づいて、前記コンテンツ記憶手段に記憶された映像情報及び音声情報のうち少なくとも一方を読み出し、前記再生手段で再生させる制御手段とを有することを特徴とする撮像システム。
【請求項２】
前記コンテンツ記憶手段に記憶された映像情報及び音声情報には、あらかじめ撮影トリガ情報が関連付けられており、
前記制御手段は、前記再生手段が再生中に、当該再生中の映像情報及び音声情報のうち少なくとも一方に関連付けられた撮影トリガ情報を検知したときに、前記撮像手段に被写体を撮影させることを特徴とする請求項１に記載の撮像システム。
【請求項３】
前記非接触読み取り手段で読み取られる情報は、被写体の年齢に関する情報であることを特徴とする請求項１又は２に記載の撮像システム。
【請求項４】
前記非接触読み取り手段で読み取られる情報は、被写体の性別に関する情報であることを特徴とする請求項１乃至３の何れか１項に記載の撮像システム。
【請求項５】
前記非接触読み取り手段は、前記撮像手段の光軸と同一方向の特定の範囲に対して電力波を送信することを特徴とする請求項１乃至４の何れか１項に記載の撮像システム。
【請求項６】
前記制御手段は、前記撮像手段で取得された画像データを解析して、被写体が変更されたと判断したときには、前記非接触読み取り手段に情報を読み取らせることを特徴とする請求項１乃至５の何れか１項に記載の撮像システム。
【請求項７】
請求項１乃至６の何れか１項に記載の撮像システムを有することを特徴とする写真撮影スタジオ。
【請求項８】
被写体を撮影して画像データを取得する撮像工程と、
情報記録手段に書き込まれた情報を非接触で読み取る非接触読み取り工程と、
前記非接触読み取り工程で読み取られた情報に基づいて、
コンテンツ記憶手段から読み出す映像情報及び音声情報のうち少なくとも一方を選択して再生する再生工程とを含むことを特徴とする撮像システムの制御方法。
【発明の詳細な説明】
【技術分野】
【０００１】
本発明は、撮像システム、写真撮影スタジオ、撮像システムの制御方法に関する。より詳しくは、非接触で読み取り可能な情報記録手段と情報獲得手段を有する撮像システム、写真撮影スタジオ、撮像システムに関する。
【背景技術】
【０００２】
写真スタジオや写真館などでカメラマンを使って行う写真撮影は、生き生きとした表情の美しい仕上がりのポートレート写真を得る方法の一つである。
【０００３】
このようなスタジオで行われる人物撮影においては、あらかじめスタジオに用意してある衣裳、アクセサリーや椅子等の小道具の中から被写体に合う組み合わせを選択して着用してもらった後、被写体となる人物がリラックスして生き生きとした自然な表情になるのを待って撮影が行われる。
【０００４】
被写体の人物の良い表情の瞬間を捉えることは、良質な写真を得る上で大変重要な要素であり、被写体の人物を生き生きとした自然な表情にさせる技術が提案されている。
【０００５】
例えば、映像記録撮影装置において、撮影時にあらかじめメモリ装置に記憶されている映像と音声を液晶表示素子に表示することにより、被写体となる人物が自然に微笑むようにする技術が提案されている（例えば特許文献１参照）。
【特許文献１】特開平１１−４６３１６号公報
【発明の開示】
【発明が解決しようとする課題】
【０００６】
しかしながら、特許文献１のように記憶されている映像や音声（コンテンツ）を表示する方法の場合、例えば撮影者が自分の子供が自然に微笑むようなコンテンツを、あらかじめ用意することは比較的容易であるが、写真館などで不特定多数の人物を撮影する際は、多数のコンテンツを用意した上で年齢や性別に合わせて選択する必要があり、短時間で選択するのは困難である。
【０００７】
さらに、撮影時に被写体がコンテンツを視聴して自然に微笑んだとしても、その瞬間を捉えるのは難しく、特に顧客が多いときなどは、熟練したカメラマンでも撮影チャンスを逃すことがあり、再度撮影するなど効率が悪かった。
【０００８】
本発明は、上記課題に鑑みてなされたものであって、写真スタジオや写真館における写真撮影を行う際に、被写体の条件に応じて被写体が興味を持ちそうなコンテンツを再生し、良い表情の得られそうな所定のタイミングで撮影を行うことが可能な撮像システムを提供することを目的とする。
【０００９】
また、本発明は例えば七五三や卒業シーズンの様に被写体となる顧客が集中する様な状態でも、個々の顧客の生き生きとした表情を捉えた人物写真が得られる様なコンテンツを、効率よく個々に設定して再生し、良い表情の得られそうな所定のタイミングで撮影することを目的にする。
【課題を解決するための手段】
【００１０】
本発明の目的は、下記構成により達成することができる。
【００１１】
（請求項１）
被写体を撮影して画像データを取得する撮像手段を有する撮像システムにおいて、
映像の表示及び音声の再生のうち少なくとも一方を行う再生手段と、
前記再生手段で再生される映像情報及び音声情報のうち少なくとも一方を記憶するコンテンツ記憶手段と、
情報記録手段に書き込まれた被写体に関する情報を非接触で読み取り可能な非接触読み取り手段と、
前記非接触読み取り手段で読み取られた情報に基づいて、前記コンテンツ記憶手段に記憶された映像情報及び音声情報のうち少なくとも一方を読み出し、前記再生手段で再生させる制御手段とを有することを特徴とする撮像システム。
【００１２】
（請求項２）
前記コンテンツ記憶手段に記憶された映像情報及び音声情報には、あらかじめ撮影トリガ情報が関連付けられており、
前記制御手段は、前記再生手段が再生中に、当該再生中の映像情報及び音声情報のうち少なくとも一方に関連付けられた撮影トリガ情報を検知したときに、前記撮像手段に被写体を撮影させることを特徴とする請求項１に記載の撮像システム。
【００１３】
（請求項３）
前記非接触読み取り手段で読み取られる情報は、被写体の年齢に関する情報であることを特徴とする請求項１又は２に記載の撮像システム。
【００１４】
（請求項４）
前記非接触読み取り手段で読み取られる情報は、被写体の性別に関する情報であることを特徴とする請求項１乃至３の何れか１項に記載の撮像システム。
【００１５】
（請求項５）
前記非接触読み取り手段は、前記撮像手段の光軸と同一方向の特定の範囲に対して電力波を送信することを特徴とする請求項１乃至４の何れか１項に記載の撮像システム。
【００１６】
（請求項６）
前記制御手段は、前記撮像手段で取得された画像データを解析して、被写体が変更されたと判断したときには、前記非接触読み取り手段に情報を読み取らせることを特徴とする請求項１乃至５の何れか１項に記載の撮像システム。
【００１７】
（請求項７）
請求項１乃至６の何れか１項に記載の撮像システムを有することを特徴とする写真撮影スタジオ。
【００１８】
（請求項８）
被写体を撮影して画像データを取得する撮像工程と、
情報記録手段に書き込まれた情報を非接触で読み取る非接触読み取り工程と、
前記非接触読み取り工程で読み取られた情報に基づいて、
コンテンツ記憶手段から読み出す映像情報及び音声情報のうち少なくとも一方を選択して再生する再生工程とを含むことを特徴とする撮像システムの制御方法。
【発明の効果】
【００１９】
本発明によれば、短時間で高品位の撮影ができ、カメラマンに特別な撮影技術がなくても良質な撮影が可能な撮像システムを提供できる。
【００２０】
請求項１又は８に記載の発明によれば、撮影時に被写体個々の撮影に関する情報を非接触読み取り手段で得て、自動的にコンテンツを選択し再生するので、被写体の生き生きとした自然な表情にさせることが可能となる。
【００２１】
請求項２に記載の発明によれば、再生中の映像情報や音声情報に関連付けられた撮影トリガ情報を検知したときに撮像手段が被写体を撮影するので、例えば自然に微笑むようなコンテンツの再生場面で自動的に撮影でき、良い表情の得られそうな所定のタイミングで効率よく撮影することができる。
【００２２】
請求項３又は４に記載の発明によれば、撮影時に被写体個々の撮影に関する情報を非接触読み取り手段で得ることができるので、不特定多数の人物を撮影する場合であっても、多数のコンテンツの中から被撮影者の好みのコンテンツを短時間で選択することが可能であり、被写体の良い表情を効率よく撮影することができる。
【００２３】
請求項５又は６に記載の発明によれば、被写体が入れ替わった場合であっても、ただちに被写体個々の撮影に関する情報を非接触読み取り手段で得ることができるので、不特定多数の人物を撮影する場合であっても、多数のコンテンツの中から被撮影者の好みのコンテンツを短時間で選択することが可能であり、被写体の良い表情を効率よく撮影することができる。
【００２４】
請求項７に記載の発明によれば、顧客の待ち時間が少なく、良質な写真プリントを安価に提供できる写真撮影スタジオを提供できる。
【発明を実施するための最良の形態】
【００２５】
以下、図面に基づき本発明の実施の形態を説明する。
【００２６】
最初に、一般的な写真撮影スタジオ１での撮影について説明する。図１は、一般的な写真撮影スタジオにおける撮影状態を示す外観イメージ図である。写真撮影スタジオ１では、被写体に対して撮影意図に応じた最適なライティング状態を設定した後、撮像手段であるカメラに同期してストロボライトを閃光させて撮影を行う。
【００２７】
写真撮影スタジオ１には、図１に示す様に被写体Ｈの周囲に照明手段である各種ライト１１（１１ａ〜１１ｄ）が配置されている。
【００２８】
写真撮影に使用される具体的なライトとしては、図示しないフロントライト、メインライト１１ａ、図示しないバックグラウンドライト、アクセントライト１１ｂ、トップライト１１ｃ、スカイライト１１ｄ等の照明装置があげられる。また、図１の写真撮影スタジオ１は後方に背景となるロールスクリーン１２を有するもので、ロールスクリーン１２は被写体に合わせて選択し、適切な背景になるように上下方向に垂下する。
【００２９】
図１の写真撮影スタジオ１における撮影にあたって、被写体である人物は写真撮影スタジオ１にあらかじめ用意された衣裳１３やアクセサリー等の小道具１４を選択して着用する。図示しない椅子等の小道具も写真撮影スタジオ１にあらかじめ用意されており、好みや撮影意図に合わせて配置する。ロールスクリーン１２も例えば女の子の場合は赤い花柄の背景など、人物の年齢、性別に合わせて、好みに合わせて選択する。
【００３０】
撮影はロールスクリーン１２を背景にして上述したライトの位置や各々の出力（調光）を変えて被写体Ｈを撮影する。各種ライト１１は撮影意図に応じて適切なものを選択して撮影に使用することが一般的である。また、これらのライトにストロボ発光用のランプを設け、ストロボライトとしての使用も可能である。
【００３１】
写真撮影スタジオ１では、被写体Ｈに対して最適なライティング状態を形成してから、カメラマン等の撮影者がカメラを操作して又は自動的に撮影を行うもので、図示しないカメラの撮像動作と同期してストロボライトが閃光し、被写体Ｈの撮影が行われる。
【００３２】
次に、本発明に係る撮像システムについて説明する。図２は本発明に係る撮像システムが適用された写真撮影スタジオ１のブロック図である。
【００３３】
図２の写真撮影スタジオ１には、ライティングを行う照明装置の一例としてメインライト１１ａとトップライト１１ｃ、バックグラウンドライト１１ｅが配置されている。これらのライトは、照明用のライトとしての機能に加えてストロボ発光用のライトの機能を有するものである。メインライト１１ａ、トップライト１１ｃ及びバックグラウンドライト１１ｅからなるストロボライト２５はストロボ電源２７から電源を供給されている。
【００３４】
被写体Ｈを撮像する撮像手段であるデジタルカメラ２１、非接触読み取り手段である被写体用非接触読み取り装置２２、設備用非接触読み取り装置２３、モニタ８０、表示装置兼入力装置４１、レリーズボタン３０及びストロボ電源２７は、制御手段であるスタジオ制御装置４０（コンピュータ）に接続されている。
【００３５】
モニタ８０は被写体である人物から視聴できるようにデジタルカメラ２１の近くに配置されており、被写体がモニタ８０に再生されたコンテンツを鑑賞しながら撮影できるようになっている。すなわちモニタ８０は、再生装置として機能するスタジオ制御装置４０と協働して再生手段として機能するものである。本実施の形態ではモニタ８０は表示装置とスピーカが一体になった例を説明するが、表示装置とスピーカは別体であってもよい。
【００３６】
撮影者は表示装置兼入力装置４１に表示されるライブビュー画像を見て、適切なタイミングでレリーズボタン３０を押して撮影する。撮影時のストロボライト２５の発光量の制御はスタジオ制御装置４０が行っている。
【００３７】
デジタルカメラ２１に取り付けられた被写体用非接触読み取り装置２２と、被写体用非接触読み取り装置２２とは別の位置に配置された設備用非接触読み取り装置２３は、例えばＩＣタグやＩＣカードのような情報記録手段から、非接触で情報を読み取る装置である。ＩＣタグやＩＣカードはＩＣチップで構成され、ＩＣ内部に持つ記録媒体の情報を被写体用非接触読み取り装置２２又は設備用非接触読み取り装置２３により電波で情報を読み出すことができる。以下、ＩＣタグを用いた例を説明するが、ＩＣカードなど他の情報記録手段であってもよい。
【００３８】
ＩＣタグには、被写体用非接触読み取り装置２２が発信する電力波を受信して、該電波から得た電力により、ＩＣ内の記録媒体の情報を読み出して発信するパッシブ方式と、ＩＣタグが電源を持ち常時記録された情報を電波で発信するアクティブ方式とがある。設備用非接触読み取り装置２３は、主にアクティブ方式の設備用ＩＣタグ６２の電波を受信し、情報を読み取る非接触読み取り手段である。アクティブ方式の場合、遠距離まで到達できる電波を発信できるが、内蔵する電池の交換が必要であり、メインテナンスが面倒である。一方、パッシブ方式の被写体用ＩＣタグ６１は電波の到達距離はアクティブ方式より短いが、受信した電波から電力を得て動作するので電源が不要であり、電池切れ等の不具合が発生するおそれがない。
【００３９】
パッシブ方式には上記のようなメインテナンス上の利点があるので、デジタルカメラ２１と一体の被写体用非接触読み取り装置２２から近い距離にある被写体Ｈが着用する衣裳１３やアクセサリー等の小道具１４には、パッシブ方式の被写体用ＩＣタグ６１をそれぞれ取り付けている。また、ロールスクリーン１２、ストロボライト２５、照明ライト２８などは被写体用非接触読み取り装置２２からの距離が遠く、パッシブ方式のＩＣタグでは電波到達範囲外になるので、アクティブ方式の設備用ＩＣタグ６２を取り付けている。図３に、衣裳１３や小道具１４にパッシブ方式の被写体用ＩＣタグ６１を、ロールスクリーン１２にアクティブ方式の設備用ＩＣタグ６２を取り付けた例を示す。
【００４０】
衣裳１３やアクセサリー等の小道具１４に取り付ける被写体用ＩＣタグ６１には、あらかじめ色に関する情報や性別や年齢に関する情報が記録されている。例えば、衣裳１３には３歳の女の子向けという情報と、衣裳１３の色に関する情報がＨＳＶ（Ｈｕｅ：色相、Ｓａｔｕｒａｔｉｏｎ  Ｖａｌｕｅ：彩度、Ｖａｌｕｅ：輝度）やＹＵＶなどの色空間で数値化されて記録されている。さらに、衣裳１３を着用する前に着用する人物に好みのコンテンツを選んでもらって、被写体用ＩＣタグ６１に記録することも可能である。
【００４１】
また、小道具１４にも衣裳１３と同様に例えば３〜７歳が対象年齢であり、男女不問であること、また小道具１４の大部分を占める色に関する情報が記録されている。また、アクセサリー等、金属部などが正反射するおそれのある場合は、その情報も記録されている。
【００４２】
ロールスクリーン１２、ストロボライト２５、照明ライト２８に取り付けられる設備用ＩＣタグ６２には被写体に照射される光に関する情報が記録されている。例えば、ロールスクリーン１２には色の情報、反射率等が記録され、ストロボライト２５、照明ライト２８には光源色温度、光源距離、光源の光度の情報が記録されている。
【００４３】
さて、このように衣裳１３や小道具１４にはあらかじめ被写体用ＩＣタグ６１が取り付けられているので、撮影対象ではない他の衣裳１３や小道具１４に取り付けられた被写体用ＩＣタグ６１の情報を誤って読み出さないようにする必要がある。そのため、デジタルカメラ２１に取り付けられた被写体用非接触読み取り装置２２が電力波を発信する範囲は、デジタルカメラ２１の撮影可能範囲に略一致するように設定されており、デジタルカメラ２１の撮影対象に取り付けたパッシブ方式の被写体用ＩＣタグ６１から応答される電波を受信し、記録された情報を取得できるように構成されている。このようにすることにより、撮影範囲外の被写体用ＩＣタグ６１の情報を誤って読み出すことがない。
【００４４】
なお、設備用非接触読み取り装置２３は主に、スタジオ１内に配置されたロールスクリーン１２、ストロボライト２５、照明ライト２８に取り付けられる設備用ＩＣタグ６２が発信する電波を受信できるようになっている。
【００４５】
図２に示したデジタルカメラ２１及びスタジオ制御装置４０の内部構成を、図４を用いて説明する。
【００４６】
デジタルカメラ２１は、撮影光学系３、ＣＣＤ５、ＡＤ変換部５１、画像メモリ５３、メインマイコン部７等を有する。
【００４７】
撮影光学系３は主として、レンズ群３２、絞り３３等から構成される。レンズ群３２はズームレンズとして構成され、レンズ群３２の配置を変更することにより、焦点距離（撮像倍率）を変更可能としている。レンズ群３２はズーム、フォーカス駆動部３３２により駆動され、焦点距離と焦点が変更される。絞り３３は絞り駆動部３３１により駆動され、適切な絞りに変更される。
【００４８】
レンズ群３２と絞り３３を通った光束は、撮像素子の一例であるＣＣＤ（電荷結合素子）５上に結像するように配置されている。なお、本発明において撮像素子は、ＣＣＤに代えて、ＣＭＯＳセンサ、ＣＩＤセンサ等の固体撮像素子であってもよい。
【００４９】
ＣＣＤ５は、カラーフィルタがそれぞれ付された微細な画素群で構成される撮像素子であり、撮影光学系３によって結像される被写体の光像（被写体像）を、例えばＲＧＢの色成分を有する画像信号に光電変換する。ＣＣＤ５の受光面は結像平面と一致するように配置され、イメージサークルを含む結像平面の一部の領域が画像データ（本明細書中では、適宜単に「画像」ともいう。）として取得されることとなる。
【００５０】
メインマイコン部７は、マイクロコンピュータを備えて構成される。すなわち、メインマイコン部７は、各種演算処理を行うＣＰＵ７０と、演算を行うための作業領域となるＲＡＭ７５と、制御プログラム等が記憶されるＲＯＭ７６とを備え、デジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００５１】
メインマイコン部７は、自動合焦制御部（ＡＦ制御部）７１、自動露出制御部（ＡＥ制御部）７２などの各種の制御機能を有する。メインマイコン部７はスタジオ制御装置４０との通信機能を持ち、各種機能はスタジオ制御装置４０からの制御指令を受けて、ＣＰＵ７０があらかじめＲＯＭ７６内に記憶される制御プログラムに従って演算処理を行うことにより実現される。
【００５２】
ＡＦ制御部７１は、合焦用評価値を用いて撮影レンズ３の焦点位置を調整することによって自動合焦制御を実現する。
【００５３】
撮影レンズ３は、ズーム・フォーカス駆動部３３２及び絞り駆動部３３１を備えている。ズーム・フォーカス駆動部３３２は、ユーザにより設定される焦点距離となるように、また、焦点が合うように（フォーカシング）レンズ群３２に含まれるレンズを適宜光軸方向に駆動するものである。
【００５４】
また、ＡＥ制御部７２は、画像を複数のブロックに分割し、各ブロックの代表輝度値に基づいてＡＥ用評価値を算出する。このＡＥ用評価値を用いて自動露出制御が実現される。
【００５５】
絞り駆動部３３１は、ＡＥ制御部７２により設定される絞り値となるように絞り３３の開口径を調整するものである。ズーム・フォーカス駆動部３３２及び絞り駆動部３３１も電気的にメインマイコン部７に接続され、メインマイコン部７の制御下にて動作する。
【００５６】
ＡＦ制御部７１とＡＥ制御部７２は自動制御の機能の他に、スタジオ制御装置４０からの制御指令を受けてマニュアル調整の機能も持ち、スタジオ制御装置４０からの制御で切り替えることができる。
【００５７】
Ａ／Ｄ変換部５１、画像メモリ５３は、ＣＣＤ５にて取得された画像を扱う処理部を示している。すなわち、ＣＣＤ５にて取得されたアナログ信号の画像は、Ａ／Ｄ変換部５１にてデジタル信号に変換され、画像メモリ５３に一時的に格納される。ライブビュー時においては、メインマイコン部７が、格納された画像データを表示に適した画素数に間引いて、スタジオ制御装置４０に順次送信する。なお、撮影時の画像データは、ＣＣＤ５から出力された画像データをすべて送信する。
【００５８】
制御手段及び再生装置として機能するスタジオ制御装置４０にはモニタ８０、表示装置兼入力装置４１、被写体用非接触読み取り装置２２、設備用非接触読み取り装置２３、レリーズボタン３０、ストロボ電源２７、デジタルカメラ２１が接続されている。
【００５９】
モニタ８０は、例えばスピーカ付きの液晶モニタである。モニタ８０はスタジオ制御装置４０で再生したコンテンツを音声とともに表示することができる。
【００６０】
表示装置兼入力装置４１は、例えばモニタ画面上にタッチパネルが取り付けられたタッチパネル式モニタがあげられる。ここではタッチパネル式モニタを用いた例を説明するが、本発明は表示装置と入力装置が一体になったものに限られるものではない。表示装置兼入力装置４１の表示部はデジタルカメラ２１からのライブビュー画像と撮影画像を表示できるようになっている。表示装置兼入力装置４１は撮影の際にライブビュー画像を見ながら、タッチパネルを押してデジタルカメラ２１の各種設定を行うこともできる。例えばズームやフォーカスの調整やホワイトバランスの調整、ソフトフィルタの調整などである。これらの制御信号はスタジオ制御装置４０からデジタルカメラ２１のメインマイコン部７に送られるようになっている。また、表示装置兼入力装置４１には撮影に関する警告を表示することができる。
【００６１】
被写体用非接触読み取り装置２２、設備用非接触読み取り装置２３はスタジオ制御装置４０からの指令により、被写体用ＩＣタグ、設備用ＩＣタグから情報を読み取って、スタジオ制御装置４０に情報のデータを伝送する。
【００６２】
レリーズボタン３０は撮影者が撮影のタイミングを指示するボタンであり、レリーズボタンを押すとスタジオ制御装置４０はデジタルカメラ２１に撮影の指令を送信するなどの所定の処理を行う。
【００６３】
ストロボ電源２７はスタジオ制御装置４０からの発光指令により、所定の発光量とタイミングでストロボライト２５を発光させる。
【００６４】
次に、スタジオ制御装置４０の内部構成について説明する。
【００６５】
スタジオ制御装置４０は各種演算処理を行うＣＰＵ４２と、演算を行うための作業領域となるＲＡＭ４５と、制御プログラムとコンテンツ等の各種データが記憶されるＨＤＤ４６とを備え、デジタルカメラ２１、ストロボ電源２７等を統括的に制御する。不揮発性メモリであるＲＯＭ７６としては、例えば、データの電気的な書き換えが可能なＥＥＰＲＯＭが採用される。また、スタジオ制御装置４０は、ＣＤ−ＲドライブやＤＶＤ−Ｒドライブのような大容量記憶再生装置４７を備えている。
【００６６】
次に、ＣＰＵ４２の機能について説明する。ＣＰＵ４２は、デジタルカメラ２１の制御や画像処理部４３、発光制御部４４、コンテンツ再生制御部４８などの各種の制御機能を持っている。
【００６７】
まず、画像処理部４３の有するホワイトバランス処理機能について説明する。
【００６８】
画像処理部４３は、撮像手段であるデジタルカメラ２１から送信された画像データをＲ、Ｇ、Ｂ面順次の画像データに変換した後、ＲＡＭ４５に一時記憶し、ホワイトバランス処理を行う。ホワイトバランス処理は、ＲＡＭ４５に一時記憶されたＲ、Ｇ、Ｂの画像データのそれぞれの平均値が一定になるような係数を求め、一時記憶されたＲ、Ｇ、Ｂの各画素データに求めた係数をかけ算する。その結果得られた画像データはＲＡＭ４５の別の領域に一時記憶される。該画像データはスタジオ制御装置４０から表示装置兼入力装置４１に表示される。
【００６９】
発光制御部４４は、ストロボ電源２７に接続されているストロボライト２５の発光量と発光のタイミングの制御を行う。
【００７０】
コンテンツ再生制御部４８はコンテンツ記憶手段であるＨＤＤ４６に記録されている所定のコンテンツを読み出して、ＣＰＵ４２の持つコンテンツ再生処理部４９において再生する。コンテンツはあらかじめＭＰＥＧ２やＭＰＥＧ４などの映像音声圧縮符号化方法により圧縮符号化し、コンテンツ毎にファイル名を付けたデジタルデータとしてＨＤＤ４６に記憶されている。
【００７１】
また、コンテンツを記録する際に、コンテンツの中で笑いを誘うシーンなど被写体が生き生きと反応することが期待できるシーンのフレーム番号やコンテンツを再生してからの経過時間などのデータが、撮影トリガ情報としてＨＤＤ４６に保存されている。なお、ＭＰＥＧ２やＭＰＥＧ４では、１秒間あたり６０フレーム又は３０フレームのフレームレートで画像が圧縮されて符号化されるが、圧縮した際に用いたフレームレートの情報は映像音声のデジタルデータに記録されている。また、音声だけを記録する場合はＭＰ３などの音声圧縮符号化方法で記録してもよい。その際も同様に所定のシーンを特定する経過時間などのデータが、撮影トリガ情報としてＨＤＤ４６に保存されている。
【００７２】
コンテンツ再生処理部４９は、コンテンツ再生制御部４８が再生を設定したコンテンツの撮影トリガ情報を読み出すとともに、該コンテンツのデータから記録時のフレームレートを読み出して、所定のフレームレートで復号化処理を行い映像と音声を再生する。コンテンツ再生処理部４９は撮影トリガ情報に記録されたフレーム又は経過時間まで再生すると、スタジオ制御装置４０からデジタルカメラ２１に撮影の指令を送信するなどの所定の処理を行う。
【００７３】
図５は、図２及び図４に示したスタジオ制御装置４０における被写体情報を用いた撮影の流れを示すフローチャートである。ここでは、１回の撮影について説明しているが、連続して撮影する場合も同様である。
【００７４】
スタジオ制御装置４０の電源をＯＮにすると、スタジオ制御装置４０は各部の初期化を行う（ステップＳ２００）。
【００７５】
スタジオ制御装置４０はデジタルカメラ２１から伝送される画像データを取得して、表示装置兼入力装置４１にライブビュー画像を表示する。（ステップＳ２０１）
次に、撮影者は被写体に合わせてズーム、フォーカス、絞り設定を行う。設定はデジタルカメラの自動設定機能を用いてもよいし、スタジオ制御装置４０が被写体情報から自動的に設定してもよい。また、表示装置兼入力装置４１を見ながら撮影者が設定してもよい（ステップＳ２０２）。
【００７６】
次に、スタジオ制御装置４０はＲＡＭ４５に前回記憶したデジタルカメラ２１からの画像とステップＳ２０１で取得した画像を比較し（ステップＳ２０３）、所定の評価値を超えるかどうか判定する（ステップＳ２０４）。
【００７７】
所定の評価値を超える場合、被写体が変わったと判定し（ステップＳ２０４；Ｙｅｓ）、ステップＳ２０５からステップＳ２０８に至る処理が実行される。
【００７８】
スタジオ制御装置４０は、被写体用非接触読み取り装置２２、設備用非接触読み取り装置２３に被写体用ＩＣタグ６１、設備用ＩＣタグ６２からの情報読み取りを指令し、被写体用非接触読み取り装置２２、設備用非接触読み取り装置２３が読み取った情報を、被写体情報としてＲＡＭ４５に記憶する。（ステップＳ２０５）なお、初期状態ではＲＡＭ４５にデジタルカメラ２１からの画像は記憶されていないので、初期化直後は被写体が変わったと判断して処理が行われる。
【００７９】
ステップＳ２０５においてＲＡＭ４５に記憶された情報から得られた被写体の年齢や性別に関する情報から、コンテンツ再生制御部４８は被写体の属性を推定し、ＨＤＤ４６に記録されたコンテンツの中から、被写体の人物にもっとも適したコンテンツを選定する。例えば被写体が５歳の女の子である場合、少女向けのアニメなどのコンテンツを選定する。（ステップＳ２０６）
コンテンツ再生制御部４８は、選定したコンテンツの撮影トリガ情報をＨＤＤ４６から読み出した後、コンテンツ再生処理部４９がコンテンツを再生する。再生されたコンテンツはモニタ８０に送られ、被写体の人物は少なくとも音声又は映像の何れかを視聴することができる。（ステップＳ２０７）
ステップＳ２０５においてＲＡＭ４５に記憶された各種情報から、スタジオ制御装置４０はストロボライト２５の発光量の設定や画像処理部４３で行う画像処理で用いる係数の設定を行うか、又は、表示装置兼入力装置４１に警告を表示する（ステップＳ２０８）。
【００８０】
所定の評価値を超えない場合、被写体が同じと判定し（ステップＳ２０４；Ｎｏ）、ステップＳ２０９からの処理が実行される。
【００８１】
次にステップＳ２０１で取得した画像をＲＡＭ４５に記憶する。（ステップＳ２０９）
コンテンツ再生制御部４８は撮影トリガのタイミングまでコンテンツを再生したかどうかを検知する。検知できなかった場合、すなわち撮影トリガタイミングではない場合（ステップＳ２１０；Ｎｏ）、次のステップＳ２１４においてシャッターボタンが押されたかどうか判定する。シャッターボタンが押されなかった場合（ステップＳ２１４；Ｎｏ）は、ステップＳ２０２に戻って以降の処理が実行される。
【００８２】
シャッターボタンが押された場合（ステップＳ２１４；Ｙｅｓ）と撮影トリガのタイミングが検知された場合（ステップＳ２１０；Ｙｅｓ）はステップＳ２１１からステップＳ２１３の処理が実行される。すなわち、スタジオ制御装置４０は撮影の指令をデジタルカメラ２１に、ステップＳ２０８で設定された発光量の発光指令をストロボ電源２７に送信し、撮影画像を取得する（ステップＳ２１１）。
【００８３】
画像処理部４３はステップＳ２０８で設定された係数でホワイトバランス処理やソフトフィルタ処理などの画像処理を行い（ステップＳ２１２）、画像処理後の画像をＨＤＤ４６に記録する（ステップＳ２１３）。なお、複数枚の撮影ではステップＳ２１０に戻る。
【００８４】
以上のように本実施の形態によれば、撮像システムが被写体に関する情報を簡単に入手して、自動的にコンテンツを選択して再生し、被写体が自然に微笑むようなコンテンツの再生場面で自動的に撮影するので、短時間で撮影ができ、カメラマンに特別な撮影技術がなくても良質な撮影が可能な撮像システムを提供できる。
【００８５】
また、このような撮像システムを利用すれば、顧客の待ち時間が少なく、良質な写真プリントを安価に提供できる写真撮影スタジオを提供できる。
【００８６】
なお、本実施の形態としてＨＤＤ４６に記録されたＭＰＥＧ２などのデジタルコンテンツの再生を例示したが、ＶＴＲやＤＶＤなどの記録媒体を用いた装置にも適用可能である。
【図面の簡単な説明】
【００８７】
【図１】本発明に係る写真撮影スタジオのイメージ図である。
【図２】本発明に係る写真撮影スタジオのブロック図である。
【図３】本発明に係る写真撮影スタジオで使われる設備や備品の一例である。
【図４】本発明に係る撮像システムのブロック図である。
【図５】本発明に係る撮影のフローチャートである。
【符号の説明】
【００８８】
１  写真撮影スタジオ
２  撮像システム
３  撮影光学系
５  ＣＣＤ
２１  デジタルカメラ
２２  被写体用非接触読み取り装置
２３  設備用非接触読み取り装置
４０  スタジオ制御装置
４８  コンテンツ再生制御部
４９  コンテンツ再生処理部
６１  被写体用ＩＣタグ
６２  設備用用ＩＣタグ
８０  モニタ
【図１】
2006208537.tif 000003
【図２】
2006208537.tif 000004
【図３】
2006208537.tif 000005
【図４】
2006208537.tif 000006
【図５】
2006208537.tif 000007